(57)【要約】      （修正有）【課題】灯具を同時に無線ネットワークのルーターまたは無線集線器とすることができるＬＥＤランプを提供する。【解決手段】ＬＥＤランプ４０とＬＥＤ照明システムを開示している。ＬＥＤランプは、ＬＥＤ発光アセンブリ４１と、ＬＥＤ駆動回路４２と、Ｗｉ−Ｆｉ信号を送受信し、ルーティング機能を有するＷｉ−Ｆｉルーティングモジュール４３とを含む。ＬＥＤ駆動回路は、ＬＥＤ発光アセンブリとＷｉ−Ｆｉルーティングモジュールとにそれぞれ接続される。ＬＥＤ照明システムにおいて、少なくとも二つのＬＥＤランプであるノードからなるシステムであって、各ノードは、受信したＷｉ−Ｆｉ信号を、そのＷｉ−Ｆｉ信号がカバーする範囲内の、その他のノードまで転送する。【選択図】図２
0003198262.tif 000002
【実用新案登録請求の範囲】
【請求項１】
少なくとも一つのＬＥＤ発光アセンブリと、少なくとも一つのＬＥＤ駆動回路と、無線信号を送受信し、ルーティング機能を有する少なくとも一つの無線信号ルーティングモジュールとを含み、
上記ＬＥＤ駆動回路は、ＬＥＤ発光アセンブリと無線信号ルーティングモジュールとにそれぞれ接続され、
上記無線信号ルーティングモジュールは、ＬＥＤランプのハウジングの内部に設けられることを特徴とするＬＥＤランプ。
【請求項２】
上記無線信号ルーティングモジュールは、無線信号を介してインターネットネットワークまたはローカルエリアネットワークにアクセスすることを特徴とする請求項１に記載のＬＥＤランプ。
【請求項３】
上記無線信号ルーティングモジュールは、使用周波数帯が２．４GHzまたは５GHzであることを特徴とする請求項１に記載のＬＥＤランプ。
【請求項４】
少なくとも二つの、請求項１に記載のＬＥＤランプであるノードからなるＬＥＤ照明システムであって、各ノードは、受信した無線信号を、その無線信号のカバー範囲内のその他のノードまで転送することを特徴とするＬＥＤ照明システム。
【請求項５】
無線信号を介してインターネットネットワークまたはローカルエリアネットワークにアクセスすることを特徴とする請求項４に記載のＬＥＤ照明システム。
【請求項６】
該システムにおけるノードに対して状態の読取と遠隔制御とを実現する制御端末を更に含み、上記制御端末は、無線信号を介して各ノードに接続されることを特徴とする請求項４に記載のＬＥＤ照明システム。
【請求項７】
上記制御端末は、コンピュータ、タブレットＰＣまたはスマートフォンであることを特徴とする請求項６に記載のＬＥＤ照明システム。
【考案の詳細な説明】
【技術分野】
【０００１】
本考案は、ＬＥＤ照明技術分野に係り、特にWi-Fi（登録商標）機能付きのＬＥＤランプおよびＬＥＤ照明システムに係る。
【背景技術】
【０００２】
インテリジェント制御照明装置およびそのシステムは、一貫した、新世代の照明技術案の研究課題である。よく用いられる概念は、下記の数種類に過ぎない。
１．外部条件をセンサーを通じて取得し、例えば環境輝度を光素子で検出することによって、灯具を自動的にスイッチングする。
２．有線インタフェースネットワークを介して灯具の状態を読み取ることによって、建築物の灯具スイッチボックスを把握して制御し、明るさを調整する。
３．例えばWi-Fiネットワークの無線信号を介して、無線送受信機能を有する灯具を制御することによって、遠隔での調整制御を実現する。
【０００３】
以上の数種類の制御方式において、Wi-Fi無線制御方法は、その使用の便利さや、灯具の取り付けや配線に付加的な要求がないことから、ますます消費者に求められている。一方、従来のWi-Fi無線制御方法は、障害物、伝送距離および伝送電力から制限を受け、カバーする範囲に往々にして限度があるため、無線制御の利便性と信頼性とが制限されている。
【０００４】
図１は、上記した従来のWi-Fi制御に基づく照明システムを示している。Wi-Fi制御に基づく照明システムは、外付けルーター１０、ＬＥＤ照明装置２１、２２、及びＬＥＤ照明装置３１、３２を含む。ＬＥＤ照明装置２１、２２は外付けルーティング１０の信号の有効カバー範囲内にある。一方、ＬＥＤ照明装置３１、３２は、距離や障害物などが原因となって信号無しエリア４０内に位置するため、有効なWi-Fi信号を受信することができない。また、上記無線制御方法において、ルーターとランプの無線接続が星形状の構造であり、ランプ同士が情報を互いに転送することができないため、物理的に無線信号の伝送距離が制限される。
【考案の概要】
【課題を解決するための手段】
【０００５】
本考案は、上記従来技術において存在する不備に鑑み、Wi-Fiルーティング機能付きのＬＥＤランプを提供しており、単独またはアドホックネットワークの形式でインターネットおよびローカルエリアネットワークに接続されるため、灯具の状態の把握と遠隔での制御とがより容易となる。
【０００６】
本考案の技術案は、下記のように実現される。
【０００７】
少なくとも一つのＬＥＤ発光アセンブリと、少なくとも一つのＬＥＤ駆動回路と、無線信号を送受信し、ルーティング機能を有する少なくとも一つの無線信号ルーティングモジュールとを含み、上記ＬＥＤ駆動回路は、ＬＥＤ発光アセンブリと無線信号ルーティングモジュールとにそれぞれ接続され、上記無線信号ルーティングモジュールは、ＬＥＤランプのハウジングの内部に設けられるＬＥＤランプ。
【０００８】
好ましくは、上記無線信号ルーティングモジュールは、無線信号を介してインターネットネットワークまたはローカルエリアネットワークにアクセスする。
【０００９】
好ましくは、上記無線信号ルーティングモジュールは、使用周波数帯が２．４GHzまたは５GHzである。
【００１０】
少なくとも二つの、上記ＬＥＤランプであるノードからなるＬＥＤ照明システムであって、各ノードは、受信した無線信号を、その無線信号のカバー範囲内のその他のノードまで転送するＬＥＤ照明システム。各ＬＥＤランプはWi-Fi無線信号ルーターとして受信したWi-Fi無線信号を転送し、そのWi-Fi無線信号がカバーする範囲内の、その他のＬＥＤランプをブリッジしてWi-Fi無線信号に基づく網形状構造の無線ネットワークを構成する。
【００１１】
好ましくは、該システムは、無線信号を介してインターネットネットワークまたはローカルエリアネットワークにアクセスする。
【００１２】
好ましくは、該システムは、該システムにおけるノードに対して状態の読取と遠隔制御とを実現する制御端末を更に含み、上記制御端末は、無線信号を介して各ノードに接続される。
【００１３】
好ましくは、上記制御端末は、コンピュータ、タブレットＰＣまたはスマートフォンである。
【考案の効果】
【００１４】
上記技術案を採用した本考案の設計思想および有益な効果は、以下のとおりである。
【００１５】
本考案のＬＥＤランプは、灯具を同時に無線ネットワークのルーターまたは無線集線器とすることができる。こうして一つの灯具が信号を受信すれば、該信号が次々と転送され、無線ネットワークのカバー範囲が持続的に延伸及び拡張されるため、Wi-Fi信号の伝播距離と通過力の制限が突破される。
【００１６】
また、本考案に記載するＬＥＤ照明装置は、単一のランプ体であっても、複数のランプ体からなる灯具であっても、単独またはアドホックネットワークの形式でインターネットおよびローカルエリアネットワークにWi-Fiの形式で接続されるため、灯具の状態の把握と制御とがより便利、迅速になる。
【図面の簡単な説明】
【００１７】
【図１】図１は、従来の無線制御に基づく照明システムの構造を示す図面である。
【図２】図２は、本考案のＬＥＤランプの構造を示す図面である。
【図３】図３は、本考案のＬＥＤ照明システムの構造を示す図面である。
【考案を実施するための形態】
【００１８】
本考案の具体的な実施形態は、以下である。
【００１９】
実施例
本考案のＬＥＤランプ４０は、図１に示すように、一つのＬＥＤ発光アセンブリ４１と、一つのＬＥＤ駆動回路４２と、一つのWi-Fiルーティングモジュール４３とを含む。ここで、上記Wi-Fiルーティングモジュール４３とＬＥＤ駆動回路４２との間、ＬＥＤ駆動回路４２とＬＥＤ発光アセンブリ４１との間は、ともに電気的に接続されている。上記Wi-Fiルーティングモジュール４３は、使用周波数帯が２．４GHzでも、５GHzでもよい。上記Wi-Fiルーティングモジュール４３は、例えばＬＥＤ駆動回路４２と一つの回路板に集積するなどで、ランプ体のハウジング内に内装されていてもよく、また、ランプ体のハウジングの表面に付着して取り付けられていてもよく、ランプ体の外に外付けされていてもよい。Wi-Fiルーティングモジュール４３とＬＥＤ駆動回路４２との間の電気的な接続によれば、例えばランプのスイッチ状態、光の調節強度など、ＬＥＤランプの状態検出を実現できる。同時にWi-Fiルーティングモジュール４３は、受信した信号をＬＥＤ駆動回路４２の制御ポートに入力することによって、ランプの状態制御と明るさの調節などを実現する。更に、Wi-Fiルーティングモジュール４３は、ＰＷＭ信号をＬＥＤ駆動回路４２の光調節制御入力側に送信することで、光調節機能を実現できる。
【００２０】
ここで、ＬＥＤランプ４０は、例えば単一の電球のような単一の光源を限定的に指すのではなく、複数の電球が装着された灯具も含んでいる。これらの電球の駆動回路は、同様に同一のWi-Fiルーティングモジュールに接続されるので、ランプの状態が検出され、制御、調整される。
【００２１】
図３に示されているのは、ＬＥＤ照明システムの構造図である。５０、６０、７０、８０、９０、１００は、いずれも上記ＬＥＤランプを示す。ＬＥＤランプ５０は、そのWi-Fiルーティングモジュール５１を介して、その信号カバー範囲内のＬＥＤランプ６０、７０のWi-Fiルーティングモジュール６１、７１と接続される。ＬＥＤランプ６０、７０の間もWi-Fiで接続される。同時に、ＬＥＤ照明装置６０、７０は、Wi-Fiルーターとして、それぞれＬＥＤランプ５０と、間隔をおいたＬＥＤランプ８０、９０、１００とを全て接続することで、ブリッジネットワーク構造を実現する。これで類推されるのは、網状構造のWi-Fiネットワークが構成されることである。これによって、Wi-Fiネットワークが伸長されることとなり、単一のWi-Fiルーターの信号距離と透過力の制限が突破される。一つのランプが指令を受信すれば、網形状構造のWi-Fiネットワーク全体における各ノードに次々と転送される。オフィスビルやデパートなどの大型建築物の場合、無線制御がより便利になる。
【００２２】
図３に示す本考案のＬＥＤ照明システムによるWi-Fiネットワークは、インターネットまたはローカルエリアネットワークにアクセスできる。よってユーザが該ネットワークに接続された端末を介して状態モニターと遠隔制御を実現できる。例えばスマートフォンで特定のアプリケーションプログラムを通じてＬＥＤランプのスイッチ動作、明るさと色または色相の調節を実現できる。
【００２３】
本考案の動作原理と核心は、ＬＥＤ照明装置のWi-Fiルーティング機能とアドホックネットワーキング機能を利用して、Wi-Fiネットワークがカバーする範囲の制限を突破すること、該アドホックネットワークはインターネットとローカルエリアネットワークアクセス能力を有すること、制御端末とWi-Fiルーティングモジュールとを電気的に接続することにより遠隔的にネットワークを介してランプの状態と調節を制御することにある。
【００２４】
以上記載したのは、単に本考案にかかる実用新案登録の比較的好ましい実施例に過ぎない。ゆえに本考案にかかる実用新案登録出願の範囲に記載する構造、特徴および原理に基いた変化と修正は、関連分野の技術者にとって明らかなものであり、依然として付属する請求項によって規定されている本考案の精神と保護範囲内に属するものである。
【００２５】
［付記１］
少なくとも一つのＬＥＤ発光アセンブリと、少なくとも一つのＬＥＤ駆動回路と、Wi-Fi（登録商標）無線信号を送受信し、ルーティング機能を有する少なくとも一つのWi-Fi無線信号ルーティングモジュールとを含み、
上記ＬＥＤ駆動回路は、ＬＥＤ発光アセンブリとWi-Fi無線信号ルーティングモジュールとにそれぞれ接続され、
上記Wi-Fi無線信号ルーティングモジュールは、ＬＥＤランプのハウジングの内部に設けられることを特徴とするＬＥＤランプ。
［付記２］
上記Wi-Fi無線信号ルーティングモジュールは、Wi-Fi無線信号を介してインターネットネットワークまたはローカルエリアネットワークにアクセスすることを特徴とする付記１に記載のＬＥＤランプ。
［付記３］
上記Wi-Fi無線信号ルーティングモジュールは、使用周波数帯が２．４GHzまたは５GHzであることを特徴とする付記１に記載のＬＥＤランプ。
［付記４］
少なくとも二つの、付記１に記載のＬＥＤランプであるノードからなるＬＥＤ照明システムであって、各ノードは、受信したWi-Fi無線信号を、そのWi-Fi無線信号のカバー範囲内のその他のノードまで転送することを特徴とするＬＥＤ照明システム。
［付記５］
Wi-Fi無線信号を介してインターネットネットワークまたはローカルエリアネットワークにアクセスすることを特徴とする付記４に記載のＬＥＤ照明システム。
［付記６］
該システムにおけるノードに対して状態の読取と遠隔制御とを実現する制御端末を更に含み、上記制御端末は、Wi-Fi無線信号を介して各ノードに接続されることを特徴とする付記４に記載のＬＥＤ照明システム。
［付記７］
上記制御端末は、コンピュータ、タブレットＰＣまたはスマートフォンであることを特徴とする付記６に記載のＬＥＤ照明システム。
【図１】
0003198262.tif 000003
【図２】
0003198262.tif 000004
【図３】
0003198262.tif 000005